(57)【要約】      （修正有）【課題】過去に一度だけ通話し、電話帳にも登録していない相手であっても、必要なら発着信履歴から容易に所望の電話番号を指定出来る電話装置を提供する。【解決手段】電話帳情報登録手段およびまたは相手の電話番号に係る発着信履歴情報記憶手段を具備する電話装置であって、用件キーワード登録手段と、用件キーワード指定手段とを有する。前記電話帳情報登録手段または前記発着信履歴情報記憶手段に記憶されていない電話番号への発信もしくは前記電話番号からの着信があった場合には、操作部に為された選択操作に従ってまたは自動的に選択処理を実行して特定の用件キーワードを指定する。前記発着信履歴情報記憶手段は、前記指定された用件キーワードと関連付けて前記電話番号を記憶し、特定操作が為された場合に、前記用件キーワードと関連付けられたいずれかの電話番号に係る情報を表示部に表示する、または当該電話番号への発信を実行する。【選択図】図１
2017073661.tif 000002
【特許請求の範囲】
【請求項１】
発信もしくは着信する電話番号情報を予め登録しておく電話帳情報登録手段、およびまたは発信もしくは着信した相手の電話番号に係る履歴情報を記憶する発着信履歴情報記憶手段を具備する電話装置であって、
通話内容の用件を識別する複数の用件キーワードを登録しておく用件キーワード登録手段と、前記登録されている複数の用件キーワードのいずれかを指定する用件キーワード指定手段と、を有し、
前記電話帳情報登録手段に登録されていない、または前記発着信履歴情報記憶手段に記憶されていない電話番号への発信もしくは前記電話番号からの着信があった場合に、前記用件キーワード指定手段は、自装置が備える操作部に為された選択操作に従って特定の用件キーワードを指定し、または前記用件キーワードのいずれかを自動的に選択する所定の処理を実行して特定の用件キーワードを指定し、前記発着信履歴情報記憶手段は、前記指定された用件キーワードと関連付けて前記電話番号を記憶し、
予め定められた特定操作が為された場合に、前記用件キーワードと関連付けられたいずれかの電話番号に係る情報を自装置が備える表示部に表示する、または当該電話番号への発信を実行することを特徴とする特定発着信履歴指定機能を有する電話装置。
【請求項２】
発信もしくは着信する電話番号情報を予め登録しておく電話帳情報登録手段、およびまたは発信もしくは着信した相手の電話番号の履歴情報を記憶する発着信履歴情報記憶手段を具備する携帯型の電話装置であって、
自装置が存在している場所に係る情報を取得する場所情報取得手段を有し、
前記電話帳情報登録手段に登録されていない、または前記発着信履歴情報記憶手段に記憶されていない電話番号への発信もしくは前記電話番号からの着信があった場合に、前記発着信履歴情報記憶手段は、前記場所情報取得手段が取得した場所に係る情報と関連付けて前記電話番号を記憶し、
予め定められた特定操作が為された場合に、前記場所に係る情報と関連付けられたいずれかの電話番号に係る情報を自装置が備える表示部に表示する、または当該電話番号への発信を実行することを特徴とする特定発着信履歴指定機能を有する電話装置。
【請求項３】
発信もしくは着信する電話番号情報を予め登録しておく電話帳情報登録手段、およびまたは発信もしくは着信した相手の電話番号の履歴情報を記憶する発着信履歴情報記憶手段を具備する電話装置であって、
自装置が備える電子メール通信手段またはＷｅｂ情報取得手段により取得した電子メール文章またはＷｅｂ文章から発信先の電話番号を入力する発信先電話番号入力手段を有し、
前記電話帳情報登録手段に登録されていない、または前記発着信履歴情報記憶手段に記憶されていない電話番号への発信があった場合に、前記発着信履歴情報記憶手段は、前記発信先電話番号入力手段に発信先の電話番号に係る情報を入力した手段に係る情報と関連付けて前記電話番号を記憶し、
予め定められた特定操作が為された場合に、前記発信先の電話番号に係る情報を入力した手段と関連付けられたいずれかの電話番号に係る情報を自装置が備える表示部に表示する、または当該電話番号への発信を実行することを特徴とする特定発着信履歴指定機能を有する電話装置。
【発明の詳細な説明】
【技術分野】
【０００１】
本発明は、発着信履歴から、効率的に所望の電話番号を指定して発信する電話装置に関する。
【背景技術】
【０００２】
従来、発着信履歴を用いて発信する電話番号の候補を提示する技術がある（例えば特許文献１）。この技術によれば、発信する際に、発着信履歴に基づいて、時間的に、現発信の状況と近似する状況で過去に発信した電話番号や着信した電話番号を提示することが出来る。
【０００３】
例えば、午前と午後で業務を分けている場合や、日中と夜間で電話を使い分けている場合に、発信する際の相手電話番号の候補を提示することが出来る。しかしながら、前記技術は、発着信履歴に残されている日時，曜日等を考慮して状況の近似度を算出するものであり、日時，曜日等の傾向を特定出来る程度の、比較的高頻度な通話相手の電話番号に限定される。
【０００４】
例えば、役所関係への手続きの問合せや、旅行先での名所等に関する問合せなどで過去に一度だけ通話し、電話帳にも登録していない相手の電話番号を発着信履歴から抽出することは出来ない。
【先行技術文献】
【特許文献】
【０００５】
【特許文献１】特開２００９−３０２６７９号公報
【発明の概要】
【発明が解決しようとする課題】
【０００６】
そこで、本発明の課題は、電話帳に登録しておらず、過去に１回程度しか発着信したことがない相手であっても、必要なら発着信履歴から容易に所望の電話番号を指定出来る電話装置を提供することにある。
【課題を解決するための手段】
【０００７】
上記課題を解決するために、本発明は、発信もしくは着信する電話番号情報を予め登録しておく電話帳情報登録手段、およびまたは発信もしくは着信した相手の電話番号に係る履歴情報を記憶する発着信履歴情報記憶手段を具備する電話装置であって、通話内容の用件を識別する複数の用件キーワードを登録しておく用件キーワード登録手段と、前記登録されている複数の用件キーワードのいずれかを指定する用件キーワード指定手段と、を有し、前記電話帳情報登録手段に登録されていない、または前記発着信履歴情報記憶手段に記憶されていない電話番号への発信もしくは前記電話番号からの着信があった場合に、前記用件キーワード指定手段は、自装置が備える操作部に為された選択操作に従って特定の用件キーワードを指定し、または前記用件キーワードのいずれかを自動的に選択する所定の処理を実行して特定の用件キーワードを指定し、前記発着信履歴情報記憶手段は、前記指定された用件キーワードと関連付けて前記電話番号を記憶し、予め定められた特定操作が為された場合に、前記用件キーワードと関連付けられたいずれかの電話番号に係る情報を自装置が備える表示部に表示する、または当該電話番号への発信を実行する。
【発明の効果】
【０００８】
本発明によれば、通話の用件を識別するのに有用な関連情報を、発着信履歴に関連付けて記憶しておくので、電話帳に登録する程でもない、発着信の回数が極めて低頻度な相手であっても、記憶が曖昧な発着信の日時情報や相手電話番号に頼ることなく、関連情報から、特定の発着信履歴を特定し、その特定した発着信履歴の通話相手へ、電話を掛けることが出来る。
【０００９】
しかも、発着信履歴に自動的に蓄積されるので、電話帳登録のような手間が掛からない。また、滅多に利用しない電話番号を電話帳に登録することも不要であり、電話帳の記憶容量を圧迫することもない。
【図面の簡単な説明】
【００１０】
【図１】本発明装置のブロック構成の例
【図２】電話帳未登録発着信履歴情報記憶部の例
【図３】本発明装置の発着信処理に係わるフローチャート図
【発明を実施するための形態】
【００１１】
以下、図面を用いて本発明による特定発着信履歴指定機能を有する電話装置（以下、本装置と略す）の実施例を説明する。
【００１２】
図１において、本装置１は、例えば、電子メール通信機能およびＷｅｂアクセス機能を有する携帯電話機（スマートホン含む）である。端末制御部１００は、本装置１の端末処理全般を制御する手段である。通信制御部１１０は、電話通話、電子メール通信、データ通信等の一般的な通信機能を提供する手段である。
【００１３】
電話対応部１１１は、通信制御部１１０、電話回線２、電話網３を経由した、または通信制御部１１０、ＩＰ回線４、ＩＰ網５を経由した通話相手（図示せず）との電話発着信に係わる処理全般の制御を実行する手段である。
【００１４】
電子メール対応部１１２は、ＩＰ回線４、ＩＰ網５を経由した相手通信装置（図示せず）とのメール送受信に係わる処理全般の制御を実行する手段である。この電子メール対応部１１２は、例えば、スマートホンに実装された一般的なメールソフトであって、操作部１３０からの操作により、メールの検索、閲覧等が可能であり、閲覧中の電子メールの文章内にハイパーリンクされた電話番号（連絡先等）の表示があれば、その電話番号の表示箇所をクリックやタッチすれば、電話対応部１１１と連携してその電話番号へ発信することも出来る。
【００１５】
Ｗｅｂ対応部１１３は、通信制御部１１０、ＩＰ回線４、ＩＰ網５を経由した各種サーバ（図示せず）や通信装置（図示せず）から各種データを授受する手段である。例えば、スマートホンに実装された一般的なＷｅｂ閲覧ソフトであって、操作部１３０からの操作により、Ｗｅｂサイトの検索、閲覧等が可能である。このＷｅｂ対応部１１３は、閲覧中のＷｅｂ文章内にハイパーリンクされた電話番号（問合せ先等）の表示があれば、その電話番号の表示箇所をクリックやタッチすれば、電話対応部１１１と連携してその電話番号へ発信することも出来る。
【００１６】
場所情報取得部１１４は、電話発着信があった場合に、自装置が存在している場所に係わる情報を取得する手段である。例えば、スマートホンに実装されたＧＰＳ対応機能および地図データにより、自装置が存在している場所の住所や建物の名称等の場所情報を取得する。
【００１７】
用件キーワード登録部１１５は、通話内容の用件を識別するための識別情報として、各種の用件キーワードを登録しておく手段である。各用件キーワードは、電話発着信が稀にしか発生しないような、問合せや確認等の電話の会話中に出現する可能性が高い、用件を識別するための単語であって、各種店舗への問合せであれば、“開店”，“閉店”，“休業”，“予約”，“料金”等の単語である。例えば、「そちらのお店の“開店”時間と“閉店”時間を教えてください。“予約”は可能ですか？」のような会話があれば、その会話中に出現した用件キーワードである“開店”，“閉店”，“予約”から、その通話内容は飲食店等への問合せであったことが推定できる。同様に、旅行関係の問合せであれば、”電車“，”飛行機“、”出発“，”到着“，”運賃“，”集合“，”宿泊“等の単語を、役所への問合せ関係であれば、”住民票“，”戸籍謄本“，”戸籍抄本“，”届“，”納税“，”証明“等の単語を、用件キーワードとして登録すればよい。
【００１８】
これらの用件キーワードは、稀にしか発生しないような電話発着信の用件を識別すると共に、リマインドするための単語であり、各用件キーワードを、店関係，旅行関係，役所関係のような用件分類に整理して登録しておけばよい。多少の混乱を無視すれば、用件キーワードを用件分類に整理しなくてもよい。
【００１９】
なお、用件キーワード登録部１１５には、識別情報としての基本的な用件キーワードが予め初期登録されていてもよい。また、使用者が任意な単語を用件キーワードとして登録しておくことでもよい。あるいは、通話終了後に、使用者が該通話に関連する新たな用件キーワードを追加登録することでもよい。
【００２０】
電話帳情報登録部１２０は、発信もしくは着信する電話番号情報を予め登録しておく手段である。相手を特定する情報（会社名、氏名等）、電話番号、電子メールアドレス等を登録しておく一般的な電話帳である。
【００２１】
電話帳未登録発着信履歴情報記憶部１２１は、電話帳情報登録部１２０に記憶されていない電話番号への発信、もしくは前記電話番号からの着信があった場合に、用件キーワード、場所情報、番号入力手段（発信の場合のみ）と関連付けて前記電話番号の発着信履歴を記憶する手段である。
【００２２】
発着信履歴に関連付けて記憶する用件キーワードとは、当該発着信の通話で出現した用件キーワードである。この用件キーワードの関連付けは、端末制御部１００内の用件キーワード指定手段（図示せず）により、手動と自動の両方が可能である。手動の場合は、例えば、発信前または通話後に、用件キーワード登録部１１５に登録されている用件キーワードの中から、ユーザが操作部１３０を操作して選択した用件キーワードを関連付ければよい（図示せず）。
【００２３】
自動の場合は、例えば、一般的な音声認識ソフトを端末制御部１００内に実装し、電話対応部１１１から入力する通話中の音声信号を監視し、用件キーワード登録部１１５に登録されている用件キーワードのいずれかに対応する音声信号を検出した場合に、該用件キーワードを関連付ければよい（図示せず）。
【００２４】
発着信履歴に関連付けて記憶する場所情報とは、場所情報取得部１１４が取得した、電話発着信があった際に自装置が存在していた場所に係わる情報である。
発着信履歴に関連付けて記憶する番号入力手段とは、発信した際に電話番号を入力した手段に係わる情報である。
【００２５】
電話帳登録発着信履歴情報記憶部１２２は、電話帳情報登録部１２０に記憶されている電話番号への発信もしくは前記電話番号からの着信があった場合に、前記電話番号の発着信履歴を記憶する手段である。なお、電話帳未登録発着信履歴情報記憶部１２１と電話帳登録発着信履歴情報記憶部１２２を統合し、発着信履歴情報記憶部（図示せず）として、電話帳情報登録部１２０に記憶されていない電話番号であるか否かをフラグで識別するように構成してもよい。
【００２６】
操作部１３０、カメラ１３１、表示部１３２、マイク１３３、スピーカ１３４は、一般的な携帯型の電話装置（例えば、スマートホン）が具備する手段である。操作部１３０は、電話帳未登録発着信履歴情報記憶部１２１に記憶されている用件キーワード、場所情報、番号入力手段と関連付けられたいずれかの電話番号に係る情報を表示する操作、または当該電話番号へ発信する操作等の予め定められた特定操作を行う手段でもある。カメラ１３１は、バーコードリーダとして発信先の電話番号に係わる情報(例えば、ＱＲコード（登録商標)）を撮像する手段でもある。
【００２７】
図２は、電話帳未登録発着信履歴情報記憶部１２１の記憶データ例である。列２０１は、電話発着信を行った日時であり、列２０２は、発信履歴であるか着信履歴であるかの識別情報である。
【００２８】
列２０３は、場所情報取得部１１４が取得した、電話発着信があった時の自装置が存在していた場所情報である。例えば、スマートホンに実装されたＧＰＳによる場所情報取得機能で場所座標を取得し、取得した場所座標を地図データと照合し、自装置が存在して電子メール場所の住所や建物の名称等を特定した情報である。建物の名称が特定できた場合は、住所＋建物の名称を記録する。
【００２９】
これにより、例えば、旅行先での名所等に関する問合せなどで過去に一度だけ通話し、電話帳にも登録されていない相手先に、再度問合せ等が必要になった場合に、どこで電話をしたかという場所の記憶で所望の番号を選択することが可能である。人は、無味乾燥な番号は忘れても、どこで電話したかは覚えていることが多い。
【００３０】
列２０４は、相手電話番号すなわち電話発着信を行った相手の電話番号である。列２０５は、発信した際の電話番号の入力手段である。入力手段としてのテンキー入力は、操作部１３０から発信先電話番号を入力（例えば、ダイヤルボタン、ワンタッチボタンで入力）して発信したことを示し、カメラ読取ＱＲコード（登録商標）は、カメラ１３１で発信先の電話番号を示すＱＲコード（登録商標）を撮像して発信したことを示し、Ｗｅｂ文章内ハイパーリンクは、Ｗｅｂ対応部１１３により閲覧中のＷｅｂ文章内のハイパーリンクされた電話番号を指定して発信したことを示し、電子メール文章内ハイパーリンクは、電子メール対応部１１２により閲覧中の電子メール文章内のハイパーリンクされた電話番号を指定して発信したことを示し、発信履歴情報は、電話帳未登録発着信履歴情報記憶部１２１に記憶されている発信履歴のいずれかを指定して発信したことを示す。
【００３１】
列２０５に記憶されている、電話番号の入力手段に係わる情報により、例えば、閲覧中のＷｅｂ文章内のハイパーリンクされた電話番号（例えば、宣伝商品の問合せ先）のような、過去に一度だけ通話しただけの、電話帳にも登録されていない相手先に、再度問合せ等が必要になった場合に、電話番号の入力手段の記憶で所望の発着信履歴を特定することが可能である。人は、無味乾燥な番号は忘れても、どんな手段で電話番号を入力したかは覚えていることが多い。
【００３２】
列２０６は、関連付けられた用件キーワードであり、列２０７は、用件分類である。例えば、日時１の発信履歴の行の例では  用件キーワードとして“印鑑証明”と“戸籍抄本”が列２０６に記憶されており、これらの用件分類である“市役所”が列２０７に記憶されている。これにより、役所関係への手続きの問合せなどで過去に一度だけ通話し、電話帳にも登録されていない相手先に、再度問合せ等が必要になった場合に、どんな話をしたかという通話内容の記憶から、所望の発着信履歴を特定することが可能である。人は、無味乾燥な番号は忘れても、どんな話をしたかは覚えていることが多い。
【００３３】
なお、図２の例では、列２０１の日時毎に、電話帳に電話番号未登録の発着信履歴情報を記憶しているが、本発明はこれに限定されない。例えば、列２０４の相手電話番号毎に、複数の発着信履歴情報を管理するようにしてもよい。その場合、同じ相手と過去に複数回通話していることの記憶で、所望の発着信履歴を特定することがより容易となる。
【００３４】
図３は、本装置１の発着信処理に係わるフローチャートである。本フローは発着信処理に係わるイベントが発生した場合にスタートする（Ｓ３００）。その他のイベントについては別のスレッドで実行している（図示せず）。
【００３５】
Ｓ３０１において、本フローのスタートイベントが発信（ＹＥＳ）か、着信（ＮＯ）かを判定する。着信（Ｓ３０１，ＮＯ）であれば、端末制御部１００は、通信制御部１１０および電話対応部１１１を制御して、一連の着信、通話処理を実行させた後、通信回線を切断し（Ｓ３０２）、Ｓ３７０へ進む。このＳ３０２は一般的な着信処理であり、処理の詳細説明は割愛する。なお、電話帳未登録発着信履歴情報記憶部１２１に記憶されている相手からの着信であった場合に、用件キーワードや場所情報等を含む当該通話相手との発着信履歴情報（最新の履歴または当該相手との履歴一覧）を表示部１３２に表示してもよい（図示せず）。
【００３６】
Ｓ３１０において、操作部１３０から手入力による発信に係わる操作（例えば、ダイヤルボタン、ワンタッチボタンを押下する操作）が為された場合（Ｓ３１０，ＹＥＳ）、端末制御部１００は、入力された電話番号を発信先電話番号としてセットし（Ｓ３１１）、Ｓ３６０へ進む。Ｓ３１０でＮＯならＳ３２０へ進む。
【００３７】
Ｓ３２０において、カメラ１３１が読取った電話番号（例えば、ＱＲコード（登録商標））への発信操作が為された場合（Ｓ３２０，ＹＥＳ）、端末制御部１００は、読取った電話番号を発信先電話番号としてセットし、Ｓ３６０へ進む（Ｓ３２１）。なお、カメラ１３１が読取る電話番号は、印刷された数字を撮像した画像データから数字列を認識するＯＣＲ（ｏｐｔｉｃａｌ  ｃｈａｒａｃｔｅｒ  ｒｅｃｏｇｎｉｔｉｏｎ）技術によるもでもよい（図示せず）。Ｓ３２０でＮＯならＳ３３０へ進む。
【００３８】
Ｓ３３０において、操作部１３０から電話帳情報登録部１２０に記憶されている電話帳情報で発信するための操作（例えば、電話帳キーの押下（図示せず））が為された場合（Ｓ３３０，ＹＥＳ）、端末制御部１００は、電話帳情報登録部１２０に記憶されている電話帳情報の操作内容に対応した部分の電話帳情報を表示部１３２に表示し（Ｓ３３１）、Ｓ３３２へ進む。
【００３９】
そして、Ｓ３３１で表示中の電話番号のいずれかを指定する操作が為された場合（Ｓ３３２，ＹＥＳ）、端末制御部１００は、指定された電話番号を発信先電話番号としてセットし（Ｓ３３３）、Ｓ３６０に進む。Ｓ３３２でＮＯならＳ３４０に進む。
【００４０】
Ｓ３４０において、操作部１３０から電話帳未登録発着信履歴情報記憶部１２１または電話帳登録発着信履歴情報記憶部１２２に記憶されている発着信履歴情報で発信するための操作（例えば、発着信履歴表示キーの押下（図示せず））が為された場合（Ｓ３４０，ＹＥＳ）、Ｓ３４１へ進む。Ｓ３４０でＮＯならＳ３５０に進む。
【００４１】
Ｓ３４０において、操作部１３０から電話帳未登録発着信履歴情報記憶部１２１に記憶されている発着信履歴情報で発信するための操作が為された場合、Ｓ３４１において、端末制御部１００は、電話帳未登録発着信履歴情報記憶部１２１に記憶されている、日時（図２の列２０１），発着の識別（図２の列２０２），場所（図２の列２０３），相手電話番号（図２の列２０４），番号入力手段（図２の列２０５），用件キーワード（図２の列２０６）、用件分類（図２の列２０７）の全てまたは一部の情報を表示部１３２に表示する。
【００４２】
この表示方法としては、矢印キー（図示せず）によるスクロール表示、操作部１３０への操作で図２の特定の列または行の部分的な情報を表示部１３２に表示する部分表示、操作部１３０から特定の検索ワードを指定して検索し、ヒットした履歴情報のみを表示部１３２に表示する検索表示等の、一般的な種々の表示方法が適用可能である。
【００４３】
電話帳未登録発着信履歴情報記憶部１２１の履歴情報から特定の履歴情報を検索する方法の一例を以下に説明する（図示せず）。
【００４４】
用件キーワードから検索する場合は、電話装置のメニュー画面で[電話帳未登録発着信履歴情報表示]を選択し、そこで表示される[用件キーワード検索]を選択すると、登録されている用件キーワードの一覧が表示される。そして、例えば、用件キーワードとして、“印鑑証明”を指定すると、“印鑑証明”を用件キーワードとして含む発着信履歴情報が表示され（図２の日時１の行）、その中から所望の履歴情報を選択することで、所望の相手先電話番号が得られる。
【００４５】
同様に、場所情報から検索する場合は、電話装置のメニュー画面で[電話帳未登録発着信履歴情報表示]を選択し、そこで表示される[場所情報検索]を選択すると、検索ワード入力画面が表示されるので、住所、建物の名称等（図２の列２０３に対応）を入力すると当該住所、建物の名称等に合致する発着信履歴情報が表示される。
【００４６】
その中から所望の履歴情報を選択することで、所望の相手先電話番号が得られる。なお、一般的な地図アプリと同様なので、例えば、入力された検索ワードに合致する住所、建物の名称等がない場合は、入力された検索ワードの住所に近い場所、もしくは名称が類似な建物の名称等を表示させ、選択させるようにすればよい。
【００４７】
番号入力手段から検索する場合は、電話装置のメニュー画面で[電話帳未登録発着信履歴情報表示]を選択し、そこで表示される[番号入力手段検索]を選択すると、履歴情報の記録されている番号入力手段(テンキー入力、カメラ読取、Ｗｅｂ文章書内ハイパーリンク等)が表示されるので、表示された番号入力手段のいずれかを選択すると、当該番号入力手段に合致する発着信履歴情報が表示される。その中から所望の履歴情報を選択することで、所望の相手先電話番号が得られる。
【００４８】
以上は一例であるが、検索方法については、一般的なメールソフト、Ｗｅｂ閲覧ソフト、地図アプリ等の検索方法と同様であり、用件キーワード、場所情報、番号入力手段の複合検索や日時指定(例えば、２０１０年の３〜５月)等を可能としてもよいことは言うまでもない。
【００４９】
Ｓ３４１で、電話帳未登録発着信履歴情報記憶部１２１または電話帳登録発着信履歴情報記憶部１２２に記憶されている所定の発着信履歴情報を表示部１３２に表示した後、表示中の履歴情報内の電話番号を指定する操作が為された場合（Ｓ３４２，ＹＥＳ）、端末制御部１００は、指定された電話番号を発信先電話番号としてセットし（Ｓ３４３）、Ｓ３６０に進む。Ｓ３４２でＮＯならＳ３５０へ進む。
【００５０】
Ｓ３５０において、操作部１３０から電子メール文章内またはＷｅｂ文章内に記載されている電話番号を取得して発信するための操作、すなわち、閲覧中の電子メール画面内またはＷｅｂ画面内に表示されている電話番号を指定する操作が為された場合（Ｓ３５０，ＹＥＳ）、操作部１３０への操作内容に従って範囲指定された部分の情報（画像データ，文字データまたは数値データ）を、適宜データ処理して発信先電話番号として取込む（Ｓ３５１）。そして、取込みに成功した場合（Ｓ３５２，ＹＥＳ）、端末制御部１００は、取込んだ電話番号を発信先電話番号としてセットし（Ｓ３５３）、Ｓ３６０に進む。Ｓ３５２でＮＯなら、Ｓ３５３をスキップしてＳ３５０へ進む。
【００５１】
なお、Ｓ３５１におけるデータ処理は、画像データから数値データを認識する画像認識やデータフォーマットの変換等、一般的なデータ処理であり、詳細な説明は割愛する。また、電子メール文章内またはＷｅｂ文章内に記載されている電話番号がハイパーリンクされたデータの場合は、Ｓ３５１とＳ３５２の処理をスルーすればよい（図示せず）。
【００５２】
Ｓ３６０において、操作部１３０から発信を実行する操作（発信ＯＫ）が為された場合（Ｓ３６０，ＹＥＳ）、Ｓ３６３へ進み、ＮＯの場合は、Ｓ３６１へ進む。
【００５３】
Ｓ３６１において、端末制御部１００は、Ｓ３２１他でセットした電話番号を電話帳に登録する操作の有無を判定し、ＹＥＳの場合は、Ｓ３６２へ進み、ＮＯの場合は、Ｓ３８０へ進む。
【００５４】
Ｓ３６２において、端末制御部１００は、指定された電話番号を電話帳情報登録部１２０に登録し、本フローを終了する（Ｓ３８０）。
【００５５】
Ｓ３６３において、端末制御部１００は、電話対応部１１１および通信制御部１１０を制御し、セットされた発信先電話番号に発信し、一般的な通話処理を実行した後、切断し、Ｓ３７０に進む。なお、一般的な通話処理に係わる説明は割愛する。
【００５６】
Ｓ３７０において、端末制御部１００は、当該通話した通話相手の電話番号が電話帳情報登録部１２０に登録されているか否かを判定し、ＹＥＳの場合は、Ｓ３７１へ進み、ＮＯの場合は、Ｓ３７２へ進む。
【００５７】
Ｓ３７１において、端末制御部１００は、電話帳登録発着信履歴情報記憶部１２２に発着信した履歴を記憶し、本フローを終了する（Ｓ３８０）。
Ｓ３７２において、端末制御部１００は、当該電話番号を電話帳情報登録部１２０に登録する操作の有無を判定し、ＹＥＳの場合は、Ｓ３７３へ進み、ＮＯの場合は、Ｓ３７４へ進む。Ｓ３７３は、当該電話番号を電話帳情報登録部１２０に登録し、Ｓ３７１に進む。
【００５８】
Ｓ３７４において、端末制御部１００は、電話帳未登録発着信履歴情報記憶部１２１に、用件キーワード、場所情報、番号入力手段（発信の場合のみ）と関連付けて当該通話した相手の電話番号の発着信履歴を記憶し、本フローを終了する（Ｓ３８０）。
【００５９】
なお、用件キーワードを自動的に関係付けるには、端末制御部１００が、Ｓ３６３またはＳ３０２で通話中の音声信号（電話対応部１１１から入力）を、音声情報から文字情報を生成する一般的な音声認識処理を実行し、通話中の音声信号から、用件キーワード登録部１１５に登録されている用件キーワードを検出し、該検出した用件キーワードを一時的に記憶しておき、切断後に発着信履歴との関連付け処理を実行すればよい。
【００６０】
以上説明した通り、本発明によれば、発着信履歴を、通話内容の用件を識別する用件キーワード、発着信した場所に係る情報、または発信先の電話番号の入力手段に係る情報と関連付けて記憶することができるので、容易に特定の相手先の電話番号を指定して表示、または発信することが可能な電話装置を提供できる。
【符号の説明】
【００６１】
１        本発明装置
２        電話回線
３        電話網
４        ＩＰ回線
５        ＩＰ網
１００    端末制御部
１１０    通信制御部
１１１    電話対応部
１１２    電子メール対応部
１１３    Ｗｅｂ対応部
１１４    場所情報取得部
１１５    用件キーワード登録部
１２０    電話帳情報登録部
１２１    電話帳未登録発着信履歴情報記憶部
１２２    電話帳登録発着信履歴情報記憶部
１３０    操作部
１３１    カメラ
１３２    表示部
１３３    マイク
１３４    スピーカ
【図１】
2017073661.tif 000003
【図２】
2017073661.tif 000004
【図３】
2017073661.tif 000005